(57)【要約】【課題】着用者の内面を含めた総合的な美を積極的かつ自然に引き出すことが可能な衣料用コーティング布帛を提供する。【解決手段】パワーネット裏地１０は、布地に合成樹脂がコーティングパターンに従って選択的にコーティングされることにより構成される。合成樹脂には、セラミックパウダー及びラジウムパウダーのうち少なくとも何れかと、ダイヤモンドパウダーと、が含まれる。コーティングパターンは、互いに離れて配置された異なる非円形の２以上の形状を含む単位パターンＲ１を繰り返したパターンである。【選択図】図４
2016199835.tif 000002
【特許請求の範囲】
【請求項１】
布地に合成樹脂がコーティングパターンに従って選択的にコーティングされ、
前記合成樹脂には、
セラミックパウダー及びラジウムパウダーのうち少なくとも何れかと、
ダイヤモンドパウダーと、
が含まれ、
前記コーティングパターンは、互いに離れて配置された異なる非円形の２以上の形状を含む単位パターンを繰り返したパターンであることを特徴とする衣料用コーティング布帛。
【請求項２】
請求項１に記載の衣料用コーティング布帛であって、
前記合成樹脂は、前記布地の網目の開口を完全に閉鎖しないようにコーティングされることを特徴とする衣料用コーティング布帛。
【請求項３】
請求項１又は２に記載の衣料用コーティング布帛であって、
前記合成樹脂にパウダー状のグリッターが配合されていることを特徴とする衣料用コーティング布帛。
【請求項４】
請求項１から３までの何れか一項に記載の衣料用コーティング布帛であって、
前記布地がストレッチ裏地であることを特徴とする衣料用コーティング布帛。
【請求項５】
請求項１から４までの何れか一項に記載の衣料用コーティング布帛を裏地として備えることを特徴とする下着。
【発明の詳細な説明】
【技術分野】
【０００１】
本発明は、主として、布地にコーティングを施した布帛に関する。
【背景技術】
【０００２】
従来から、例えば下着において、裏地にコーティングを施した構成が知られている。特許文献１は、この種の下着を開示する。特許文献１は、補整機能を発揮するために使用される生地の肌と接する面の所定箇所、例えばブラジャーにあってはカップ布の内面等に、シリコンゴム、ポリウレタン樹脂等の滑り摩擦の大きな軟性樹脂を点状、線状、又は面状に塗着した構成を開示する。特許文献１は、この構成により、生地が着用中に肌からずれて補正機能が低下するようなことがなく、着用開始時の体形を最後まで持続することができるとする。
【先行技術文献】
【特許文献】
【０００３】
【特許文献１】実用新案登録第３０８５７８３号公報
【発明の概要】
【発明が解決しようとする課題】
【０００４】
しかし、上記特許文献１の構成は、体形の補整機能が高められているものの、意匠性や、着用する者（特に、女性）の内面に対して働き掛ける作用に乏しく、より総合的な観点から着用者の美を引き出すという点で改善の余地が残されていた。
【０００５】
本発明は以上の事情に鑑みてされたものであり、その目的は、着用者の内面を含めた総合的な美を積極的かつ自然に引き出すことが可能な衣料用コーティング布帛を提供することにある。
【課題を解決するための手段及び効果】
【０００６】
本発明の解決しようとする課題は以上の如くであり、次にこの課題を解決するための手段とその効果を説明する。
【０００７】
本発明の第１の観点によれば、以下の構成の衣料用コーティング布帛が提供される。即ち、この衣料用コーティング布帛は、布地に合成樹脂がコーティングパターンに従って選択的にコーティングされることにより構成される。前記合成樹脂には、セラミックパウダー及びラジウムパウダーのうち少なくとも何れかと、ダイヤモンドパウダーと、が含まれる。前記コーティングパターンは、互いに離れて配置された異なる非円形の２以上の形状を含む単位パターンを繰り返したパターンである。
【０００８】
これにより、コーティングから発生するマイナスイオンが着用者に働きかける作用と、複雑な形状のコーティングパターンの意匠性から得られる美感と、が相まって、着用者に自身の内面の豊かさを再認識させ、総合的な美を引き出すことができる。
【０００９】
前記の衣料用コーティング布帛においては、前記合成樹脂は、前記布地の網目の開口を完全に閉鎖しないようにコーティングされることが好ましい。
【００１０】
これにより、布地の有する通気性及び伸縮性をコーティングが大きく損なうことがないため、快適な着用感を実現することができる。また、コーティングが存在を主張し過ぎない外観が実現されるので、着用者に、衣料が自己の内面に寄り添って一体化するような上質感を与えることができる。
【００１１】
前記の衣料用コーティング布帛においては、前記合成樹脂にパウダー状のグリッターが配合されていることが好ましい。
【００１２】
これにより、コーティング部分に煌めき感を付与することで、優美さと透明感を演出することができる。
【００１３】
前記の衣料用コーティング布帛においては、前記布地がストレッチ裏地であることが好ましい。
【００１４】
これにより、体形補整機能を好適に発揮させることができ、着用者の魅力的なボディラインを実現することができる。
【００１５】
本発明の第２の観点によれば、前記の衣料用コーティング布帛を裏地として備える下着が提供される。
【００１６】
これにより、裏地由来のマイナスイオンが着用者の肌に直接的に働きかけることによって、リラックス効果、精神安定効果等を向上させることができ、着用者の総合的な美を良好に実現することができる。
【図面の簡単な説明】
【００１７】
【図１】本発明の一実施形態に係るパワーネット裏地を備えるキャミソールの全体的な構成を示す斜視図。
【図２】裏地を表面に露出させた状態を示す正面図。
【図３】裏地を表面に露出させた状態を示す背面図。
【図４】裏地に対する合成樹脂のコーティングパターンを示す図。
【図５】図４のＡ部分を拡大して示す模式図。
【発明を実施するための形態】
【００１８】
次に、図面を参照して本発明の実施の形態を説明する。図１は、本発明の一実施形態に係るパワーネット裏地１０を備えるキャミソール１の全体的な構成を示す斜視図である。
【００１９】
図１に示す本実施形態の下着（女性用下着）としてのキャミソール１は、主として、前身頃２と、後見頃３と、により構成されている。前身頃２及び後見頃３において、表生地にはサテンネットが用いられている。また、このキャミソール１には、一側のサイドから前側下部に掛けて、高級感と女性らしさを演出するための刺繍レース４が斜めに施されている。
【００２０】
前身頃２と後見頃３のそれぞれには、伸縮力の強い生地であるパワーネット裏地（コーティング布帛、ストレッチ裏地）１０が内面に縫製されている。なお、図２及び図３は、パワーネット裏地１０が表面に来るように裏返した状態の正面図及び背面図である。
【００２１】
このパワーネット裏地１０は白色（オフホワイト）の布地（ソフトパワーネット）であり、このパワーネット裏地１０には、合成樹脂からなる白色又は白色半透明のコーティングが、所定のコーティングパターン（詳細は後述）に従って、例えば印刷などの方法によって選択的に施されている。
【００２２】
コーティングに用いられる材料（合成樹脂）には、セラミックパウダー及びラジウムパウダーと、ダイヤモンドパウダーと、が含まれている。この合成樹脂としては、例えば、エポキシ系樹脂、ポリウレタン系樹脂、メラミン系樹脂、フェノール系樹脂、ポリエステル系樹脂、シリコン系樹脂等から適宜選択して用いることができる。
【００２３】
コーティングに用いられる材料は、合成樹脂に上記の粉末を添加して、攪拌機にて均一になるように混合撹拌することにより得ることができる。
【００２４】
セラミックパウダー（ラジウムパウダーも同様である）は、常に微量の放射線を発生させ、当該放射線が空気中の水分等と反応することによりマイナスイオンを発生させることができる。滝や森林などで多く観測されるマイナスイオンについては、詳細なメカニズムについては不明確な点もあるが、爽快な感覚が得られ、呼吸を楽にし、自律神経を沈静化させ、疲労の回復を促進させる等の様々な効用が近年の研究により明らかにされつつある。
【００２５】
また、本実施形態において、合成樹脂にダイヤモンドパウダーが含まれているので、上記のマイナスイオンの効用（精神衛生上の効用が含まれるが、これに限られない）を大きく発揮させることができる。また、コーティング部分の透明感を向上させることができるとともに、光の反射／散乱によって、着用者の肌の印象の明るさも向上させることができる。ダイヤモンドパウダーとしては、天然ダイヤモンドであることが好ましい。また、粒径は、０．２５ミクロン以上６０ミクロン以下であることが好ましい。
【００２６】
更に、合成樹脂に含まれるセラミックパウダー／ラジウムパウダーは、速乾性及び抗菌性を有しているので、心地よい着用感が得られ、また、黄色ブドウ球菌などの増殖を好適に抑制することができる。また、セラミックパウダー／ラジウムパウダーは遠赤外線放射特性を備えているので、着用者の身体を内部から温めることが可能になり、血流を増加させる作用も発揮させることができる。
【００２７】
合成樹脂は、例えば図４に示すようなコーティングパターンに従って、パワーネット裏地１０に対して選択的にコーティングされる。図４は、コーティングパターンを示す図である。なお、図４においてハッチングが付された部分が、実際にコーティングがされる部分である。
【００２８】
このコーティングパターンは、図４の鎖線で囲った単位パターンＲ１を２次元的に（縦横に）繰り返したパターンであり、当該単位パターンＲ１には、互いに離れて配置された非円形の形状（例えば、図４に示すように、花びらをモチーフとした形状や、葉をモチーフとした形状）が多数含まれている。このような複雑で優美な模様が内側に施されたキャミソール１を着用することで、自分自身の内に秘めた魅力を着用者に再認識させ、着用者の内面を含めた総合的な美を積極的かつ自然に引き出すことが期待できる。
【００２９】
図５は、図４のＡ部分を拡大して示す模式図である。この図５で示すように、パワーネット裏地１０の網目は、合成樹脂がコーティングされた部分でも、当該網目が完全に閉鎖されていない。これにより、パワーネット裏地１０の伸縮性及び通気性をコーティングが阻害することがなく、体形の補整機能が確実に実現されるとともに、快適な着用感が得られる。また、コーティングが存在を主張し過ぎない外観が実現されるので、着用者に、キャミソール１が自己の内面に寄り添って一体化するような印象を与えることができる。この結果、着用者の内面の魅力を一層際立たせることができる。
【００３０】
また、本実施形態では、コーティングされる合成樹脂に、パウダー状のグリッターが小量配合されている。これにより、コーティング部分の煌めき感及び華やぎ感を強調することができる。
【００３１】
次に、本実施形態のパワーネット裏地１０の効果を検証するために本願発明者が行った実験について説明する。即ち、本願発明者は、ソフトパワーネット生地に、ラジウム９０％、酸化チタン１０％の比率で配合された粉末を重量比で１０％配合し、更にダイヤモンド粉末を適宜の重量比で配合した合成樹脂を印刷により図４のパターンに従ってコーティングし、コーティング布帛を製造した。
【００３２】
上記のコーティング布帛から適宜の大きさの試験片を作成し、水を滴下した後に吊り下げた状態で保持し、所定の時間が経過する毎に残留水分率を求めた。すると、２５分後には拡散性残留水分率が５％を下回った。また、黄色ブドウ球菌を試験片に接種する抗菌性試験（ＪＩＳ  Ｌ  １９０２：２００８）によれば、生菌の接種直後と、１８時間後とで、生菌数の常用対数値に違いが見られなかった。以上により、本願発明のパワーネット裏地１０は、良好な速乾性能及び抗菌性能を有していることが裏付けられた。
【００３３】
また、コーティング布帛についてガイガーカウンターにより放射線の数を測定したところ、測定場所により小さくない変動があったが、ＣＰＭ値で例えば４０８という値を示した。また、本願発明者が上記のコーティング布帛についてマイナスイオンの数を測定したところ、空気１ｃｃあたり８００〜８２０個という結果が得られた。以上により、本願発明のパワーネット裏地１０は、マイナスイオンを十分に発生させ得ることが確かめられた。
【００３４】
従って、本実施形態のキャミソール１を着用することにより、パワーネット裏地１０の有するストレッチパワーにより体形を美しく補整し、良い着け心地を実現できることはもちろん、裏地由来のマイナスイオンが着用者の肌に直接的に働きかけることによってリラックス効果、精神安定効果等が実現され、着用する個々の女性本来が有する内面の充実を大きく引き出すことが期待される。従って、本発明のコーティング布帛（裏地）は、例えば、女性が最高に美しくあるべき結婚式当日に着用するウェディングドレスのインナーとしての用途（ブライダル用途）、あるいは結婚準備期間の用途に特に好適である。
【００３５】
以上に説明したように、本実施形態のパワーネット裏地１０は、布地に合成樹脂がコーティングパターンに従って選択的にコーティングされることにより構成される。合成樹脂には、セラミックパウダー及びラジウムパウダーのうち少なくとも何れかと、ダイヤモンドパウダーと、が含まれる。コーティングパターンは、互いに離れて配置された異なる非円形の２以上の形状を含む単位パターンＲ１を繰り返したパターンである。
【００３６】
これにより、コーティングから発生するマイナスイオンが着用者に働きかける作用と、複雑な形状のコーティングパターンの意匠性から得られる美感と、が相まって、着用者に自身の内面の豊かさを再認識させ、総合的な美を引き出すことができる。
【００３７】
また、本実施形態のパワーネット裏地１０において、合成樹脂は、布地の網目の開口を完全に閉鎖しないようにコーティングされる。
【００３８】
これにより、布地の有する通気性及び伸縮性をコーティングが大きく損なうことがないため、快適な着用感を実現することができる。また、コーティングが存在を主張し過ぎない外観が実現されるので、着用者に、衣料が自己の内面に寄り添って一体化するような上質感を与えることができる。
【００３９】
また、本実施形態のパワーネット裏地１０において、合成樹脂にパウダー状のグリッターが配合されている。
【００４０】
これにより、コーティング部分に煌めき感を付与することで、優美さと透明感を演出することができる。
【００４１】
また、本実施形態のパワーネット裏地１０において、コーティングされる布地が、ストレッチ裏地であるパワーネットとして構成されている。
【００４２】
これにより、体形補整機能を好適に発揮させることができ、着用者の魅力的なボディラインを実現することができる。
【００４３】
また、本実施形態のキャミソール１は、パワーネット裏地１０を裏地として備える。
【００４４】
これにより、裏地由来のマイナスイオンが着用者の肌に直接的に働きかけることによって、リラックス効果、精神安定効果等を向上させることができ、着用者の内面の充実を大きく引き出すことができる。
【００４５】
以上に本発明の好適な実施の形態を説明したが、上記の構成は例えば以下のように変更することができる。
【００４６】
合成樹脂には、セラミックパウダー及びラジウムパウダーの両方が配合されていても良いし、何れか一方のみが配合されていても良い。
【００４７】
合成樹脂をコーティングするにあたっては、図２から図４までに示すコーティングパターンに限定されず、他の様々なパターンを採用することができる。ただし、円形を単純に並べたようなドット柄のパターンよりは、上記実施形態のような複雑な絵柄（互いに離れて配置された異なる非円形の２以上、好ましくは３以上、更に好ましくは５以上の形状を含むパターン）の方が、洗練された上質な印象を与える点で好ましい。
【００４８】
パワーネット裏地１０は、キャミソール１の前身頃２及び後見頃３のほぼ全面に縫製されているが、一部の面にのみパワーネット裏地１０が取り付けられても良い。また、例えばキャミソール１の肩紐の部分にパワーネット裏地１０が取り付けられても良い。
【００４９】
パワーネット裏地１０は、キャミソール１のほか、他の下着（例えば、ビスチェ、ウエストニッパー、ショーツ、ドロワーズ等）の裏地として適用することができる。また、下着以外の衣料（例えば、スカート等）に適用することもできる。
【符号の説明】
【００５０】
１  キャミソール（下着）
２  前身頃
３  後見頃
１０  パワーネット裏地（衣料用コーティング布帛、ストレッチ裏地）
【図１】
2016199835.tif 000003
【図２】
2016199835.tif 000004
【図３】
2016199835.tif 000005
【図４】
2016199835.tif 000006
【図５】
2016199835.tif 000007